(57)【要約】【課題】入水口を備えた構成で外部に露出する部分である第１露出部または出湯口を備えた構成で外部に露出する部分である第２露出部を作業者が識別しやすい給湯装置用の識別具又は給湯装置を、部材の紛失が生じにくく、視認性が安定的に確保されやすい構成で実現する。【解決手段】給湯装置１は、第１露出部１００と第２露出部２００と第１識別具１３０（入水口側表示部材）とを備える。第１露出部１００は、挿入口１１５が入水口１１１よりも左右方向片側に張り出した構成をなす第１管路１１０を有する。第１露出部１００は、フィルタ１２５と、挿入口１１５を開閉する挿入口開閉部材１２０とを有する。第１識別具１３０は、第１管路１１０と挿入口開閉部材１２０との間に架設される第１架設部１３１と、第１架設部１３１と一体的に形成され、水を示す記号又は図形の少なくともいずれかが表された第１表示部１３７と、を有する。第１表示部１３７は、第１架設部１３１における帯状の所定部位から板状に折れ曲がった構成をなし、前方側を向くように姿勢が定められる。【選択図】図３
2020079659.tif 000002
【特許請求の範囲】
【請求項１】
ガスバーナと、
前記ガスバーナを収容する筐体と、
外部から供給される水の入口となる入水口と前記入水口とは異なる入口となる挿入口とを備えるとともに前記挿入口が前記入水口よりも左右方向片側に張り出した構成をなす第１管路を有し、前記筐体の外部に露出する第１露出部と、
前記入水口を介して外部から流入した水を通す通水路と、
前記通水路を通る水に前記ガスバーナで生じた熱を伝達して湯を沸かす熱交換器と、
前記熱交換器によって沸かされた湯の出口となる出湯口を備えた第２管路を有し、前記筐体の外部に露出する第２露出部と、
水を示す記号又は図形の少なくともいずれかを表す入水口側表示部材と、
を備える給湯装置であって、
前記第１露出部は、
前記挿入口を介して前記第１管路内に着脱される構成をなし、前記第１管路内において前記入水口から流入した水をろ過するフィルタと、
前記挿入口に対して着脱される構成をなし、前記挿入口を開閉する挿入口開閉部材と、
を有し、
前記入水口側表示部材は、
帯状に構成され、前記第１管路と前記挿入口開閉部材とにそれぞれ連結され、前記第１管路と前記挿入口開閉部材との間に架設される入水口側架設部と、
前記入水口側架設部と一体的に形成され、水を示す記号又は図形の少なくともいずれかが表された入水口側表示部と、
を有し、
前記入水口側表示部は、前記入水口側架設部における帯状の所定部位から板状に折れ曲がった構成をなし、前方側を向くように姿勢が定められる
給湯装置。
【請求項２】
ガスバーナと、
前記ガスバーナを収容する筐体と、
外部から供給される水の入口となる入水口を備えた第１管路を有し、前記筐体の外部に露出する第１露出部と、
前記入水口を介して外部から流入した水を通す通水路と、
前記通水路を通る水に前記ガスバーナで生じた熱を伝達して湯を沸かす熱交換器と、
前記熱交換器によって沸かされた湯の出口となる出湯口と前記出湯口とは異なる出口となる水抜口とを備えるとともに前記水抜口が前記出湯口よりも左右方向片側に張り出した構成をなす第２管路を有し、前記筐体の外部に露出する第２露出部と、
湯を示す記号又は図形の少なくともいずれかを表す出湯口側表示部材と、
を備える給湯装置であって、
前記第２露出部は、
前記水抜口に対して着脱される構成をなし、前記水抜口を開閉する水抜口開閉部材を有し、
前記出湯口側表示部材は、
帯状に構成され、前記第２管路と前記水抜口開閉部材とにそれぞれ連結され、前記第２管路と前記水抜口開閉部材との間に架設される出湯口側架設部と、
前記出湯口側架設部と一体的に形成され、湯を示す記号又は図形の少なくともいずれかが表された出湯口側表示部と、
を有し、
前記出湯口側表示部は、前記出湯口側架設部における帯状の所定部位から板状に折れ曲がった構成をなし、前方側を向くように姿勢が定められる
給湯装置。
【請求項３】
ガスバーナと、
前記ガスバーナを収容する筐体と、
外部から供給される水の入口となる入水口と前記入水口とは異なる入口となる挿入口とを備えるとともに前記挿入口が前記入水口よりも左右方向片側に張り出した構成をなす第１管路を有し、前記筐体の外部に露出する第１露出部と、
前記入水口を介して外部から流入した水を通す通水路と、
前記通水路を通る水に前記ガスバーナで生じた熱を伝達して湯を沸かす熱交換器と、
前記熱交換器によって沸かされた湯の出口となる出湯口を備えた第２管路を有し、前記筐体の外部に露出する第２露出部と、
を備える給湯装置用の識別具であって、
前記第１露出部は、前記挿入口を介して前記第１管路内に着脱される構成をなし、前記第１管路内において前記入水口から流入した水をろ過するフィルタと、前記挿入口に対して着脱される構成をなし、前記挿入口を開閉する挿入口開閉部材と、を有しており、
帯状に構成され、前記第１管路と前記挿入口開閉部材とにそれぞれ連結され、前記第１管路と前記挿入口開閉部材との間に架設される入水口側架設部と、
前記入水口側架設部と一体的に形成され、水を示す記号又は図形の少なくともいずれかが表された入水口側表示部と、
を有し、
前記入水口側表示部は、前記入水口側架設部における帯状の所定部位から板状に折れ曲がった構成をなし、前方側を向くように姿勢が定められる
給湯装置用の識別具。
【請求項４】
ガスバーナと、
前記ガスバーナを収容する筐体と、
外部から供給される水の入口となる入水口を備えた第１管路を有し、前記筐体の外部に露出する第１露出部と、
前記入水口を介して外部から流入した水を通す通水路と、
前記通水路を通る水に前記ガスバーナで生じた熱を伝達して湯を沸かす熱交換器と、
前記熱交換器によって沸かされた湯の出口となる出湯口と前記出湯口とは異なる出口となる水抜口とを備えるとともに前記水抜口が前記出湯口よりも左右方向片側に張り出した構成をなす第２管路を有し、前記筐体の外部に露出する第２露出部と、
を備える給湯装置用の識別具であって、
前記第２露出部は、前記水抜口に対して着脱される構成をなし、前記水抜口を開閉する水抜口開閉部材を有しており、
帯状に構成され、前記第２管路と前記水抜口開閉部材とにそれぞれ連結され、前記第２管路と前記水抜口開閉部材との間に架設される出湯口側架設部と、
前記出湯口側架設部と一体的に形成され、湯を示す記号又は図形の少なくともいずれかが表された出湯口側表示部と、
を有し、
前記出湯口側表示部は、前記出湯口側架設部における帯状の所定部位から板状に折れ曲がった構成をなし、前方側を向くように姿勢が定められる
給湯装置用の識別具。
【発明の詳細な説明】
【技術分野】
【０００１】
本発明は、給湯装置及び給湯装置用の識別具に関するものである。
【背景技術】
【０００２】
従来、外部から導入された水に対してガスバーナで燃焼した熱を伝達し、湯を沸かす給湯装置が提供されている。例えば、特許文献１に開示の給湯装置は、ガスバーナ４や通水路などを収容するケース５を備えており、このケース５から露出する管路として、入水口１６を備える第１露出管路１５と出湯口１８を備える第２露出管路１７とが設けられている。
【０００３】
第１露出管路１５には、上流側に第１外部管路１９０（例えば水道からの水を供給するための管路）が接続され、第２露出管路１７には、下流側に第２外部管路２９０が接続される。第１露出管路１５の内部空間には、水フィルタ３５が設けられており、この水フィルタ３５は、入水口１６から流入した水が下流側に移動することを許容し、水に混入した異物が下流側に移動することを防止するように機能する。
【先行技術文献】
【特許文献】
【０００４】
【特許文献１】特開２０１８−１１２２５２号公報
【発明の概要】
【発明が解決しようとする課題】
【０００５】
特許文献１で開示される給湯装置における第１露出管路１５及び第２露出管路１７のように、給湯装置では、出湯口側で露出する管路と入水口側で露出する管路とが、共通形状、近似した形状、或いは、その他の間違えやすい関係であることが多く、このため、施工時やメンテナンス時などにこれらを誤接続する虞がある。
【０００６】
このような誤接続を生じにくくする対策として、特許文献１には、給湯装置用の識別具として、入水口側表示部材１１０と出湯口側表示部材１２０を有するものが例示されている。例えば、入水口側表示部材１１０は、水を示す記号又は図形の少なくともいずれかが表される第１板状部材１１２と、第１板状部材１１２を取り付けるための部材である第１取付部材１１４とを備えている。この入水口側表示部材１１０は、帯状又は紐状の第１取付部材１１４が第１板状部材１１２の長孔部１１２ｂに挿し通された状態で折り曲げられ、第１取付部材１１４の両端部が第１露出管路１５の外周部から突出する突出部１９ａに係止するように取り付けられている。
【０００７】
特許文献１に開示の構成では、突出部１９ａの開口を閉塞するための部材の取り外しに伴い、第１取付部材１１４が突出部１９ａから脱落して入水口側表示部材１１０を紛失する可能性があり、紛失防止の観点において改善の余地があった。また、特許文献１に開示の構成では、例えば第１取付部材１１４が突出部１９ａの周方向に回転した場合などにおいて、第１板状部材１１２が意図しない方向を向く虞があり、視認性の観点において改善の余地があった。
【０００８】
本発明は、上述した課題の少なくとも一つを解決するためになされたものであり、入水口を備えた構成で外部に露出する部分である第１露出部または出湯口を備えた構成で外部に露出する部分である第２露出部を作業者が識別しやすい給湯装置用の識別具又は給湯装置を、部材の紛失が生じにくく且つ視認性が安定的に確保されやすい構成で実現することを目的とするものである。
【課題を解決するための手段】
【０００９】
本発明の第１の態様である給湯装置は、ガスバーナと、前記ガスバーナを収容する筐体と、外部から供給される水の入口となる入水口と前記入水口とは異なる入口となる挿入口とを備えるとともに前記挿入口が前記入水口よりも左右方向片側に張り出した構成をなす第１管路を有し、前記筐体の外部に露出する第１露出部と、前記入水口を介して外部から流入した水を通す通水路と、前記通水路を通る水に前記ガスバーナで生じた熱を伝達して湯を沸かす熱交換器と、前記熱交換器によって沸かされた湯の出口となる出湯口を備えた第２管路を有し、前記筐体の外部に露出する第２露出部と、水を示す記号又は図形の少なくともいずれかを表す入水口側表示部材と、を備える給湯装置である。前記第１露出部は、前記挿入口を介して前記第１管路内に着脱される構成をなし、前記第１管路内において前記入水口から流入した水をろ過するフィルタと、前記挿入口に対して着脱される構成をなし、前記挿入口を開閉する挿入口開閉部材と、を有する。前記入水口側表示部材は、帯状に構成され、前記第１管路と前記挿入口開閉部材とにそれぞれ連結され、前記第１管路と前記挿入口開閉部材との間に架設される入水口側架設部と、前記入水口側架設部と一体的に形成され、水を示す記号又は図形の少なくともいずれかが表された入水口側表示部と、を有する。前記入水口側表示部は、前記入水口側架設部における帯状の所定部位から板状に折れ曲がった構成をなし、前方側を向くように姿勢が定められる。
【００１０】
本発明の第２の態様である給湯装置は、ガスバーナと、前記ガスバーナを収容する筐体と、外部から供給される水の入口となる入水口を備えた第１管路を有し、前記筐体の外部に露出する第１露出部と、前記入水口を介して外部から流入した水を通す通水路と、前記通水路を通る水に前記ガスバーナで生じた熱を伝達して湯を沸かす熱交換器と、前記熱交換器によって沸かされた湯の出口となる出湯口と前記出湯口とは異なる出口となる水抜口とを備えるとともに前記水抜口が前記出湯口よりも左右方向片側に張り出した構成をなす第２管路を有し、前記筐体の外部に露出する第２露出部と、湯を示す記号又は図形の少なくともいずれかを表す出湯口側表示部材と、を備える給湯装置である。前記第２露出部は、前記水抜口に対して着脱される構成をなし、前記水抜口を開閉する水抜口開閉部材を有する。前記出湯口側表示部材は、帯状に構成され、前記第２管路と前記水抜口開閉部材とにそれぞれ連結され、前記第２管路と前記水抜口開閉部材との間に架設される出湯口側架設部と、前記出湯口側架設部と一体的に形成され、湯を示す記号又は図形の少なくともいずれかが表された出湯口側表示部と、を有する。前記出湯口側表示部は、前記出湯口側架設部における帯状の所定部位から板状に折れ曲がった構成をなし、前方側を向くように姿勢が定められる。
【００１１】
本発明の第３の態様である給湯装置用の識別具は、ガスバーナと、前記ガスバーナを収容する筐体と、外部から供給される水の入口となる入水口と前記入水口とは異なる入口となる挿入口とを備えるとともに前記挿入口が前記入水口よりも左右方向片側に張り出した構成をなす第１管路を有し、前記筐体の外部に露出する第１露出部と、前記入水口を介して外部から流入した水を通す通水路と、前記通水路を通る水に前記ガスバーナで生じた熱を伝達して湯を沸かす熱交換器と、前記熱交換器によって沸かされた湯の出口となる出湯口を備えた第２管路を有し、前記筐体の外部に露出する第２露出部と、を備える給湯装置用の識別具である。前記第１露出部は、前記挿入口を介して前記第１管路内に着脱される構成をなし、前記第１管路内において前記入水口から流入した水をろ過するフィルタと、前記挿入口に対して着脱される構成をなし、前記挿入口を開閉する挿入口開閉部材と、を有している。給湯装置用の識別具は、帯状に構成され、前記第１管路と前記挿入口開閉部材とにそれぞれ連結され、前記第１管路と前記挿入口開閉部材との間に架設される入水口側架設部と、前記入水口側架設部と一体的に形成され、水を示す記号又は図形の少なくともいずれかが表された入水口側表示部と、を有する。前記入水口側表示部は、前記入水口側架設部における帯状の所定部位から板状に折れ曲がった構成をなし、前方側を向くように姿勢が定められる。
【００１２】
本発明の第４の態様である給湯装置用の識別具は、ガスバーナと、前記ガスバーナを収容する筐体と、外部から供給される水の入口となる入水口を備えた第１管路を有し、前記筐体の外部に露出する第１露出部と、前記入水口を介して外部から流入した水を通す通水路と、前記通水路を通る水に前記ガスバーナで生じた熱を伝達して湯を沸かす熱交換器と、前記熱交換器によって沸かされた湯の出口となる出湯口と前記出湯口とは異なる出口となる水抜口とを備えるとともに前記水抜口が前記出湯口よりも左右方向片側に張り出した構成をなす第２管路を有し、前記筐体の外部に露出する第２露出部と、を備える給湯装置用の識別具である。前記第２露出部は、前記水抜口に対して着脱される構成をなし、前記水抜口を開閉する水抜口開閉部材を有している。給湯装置用の識別具は、帯状に構成され、前記第２管路と前記水抜口開閉部材とにそれぞれ連結され、前記第２管路と前記水抜口開閉部材との間に架設される出湯口側架設部と、前記出湯口側架設部と一体的に形成され、湯を示す記号又は図形の少なくともいずれかが表された出湯口側表示部と、を有する。前記出湯口側表示部は、前記出湯口側架設部における帯状の所定部位から板状に折れ曲がった構成をなし、前方側を向くように姿勢が定められる。
【発明の効果】
【００１３】
上記第１の態様及び第３の態様によれば、入水口側表示部が前方側を向くように姿勢が定められるため、作業者が給湯装置を前側から見たときに入水口側表示部の表示が視認されやすくなる。特に、入水口側架設部が第１管路と挿入口開閉部材の双方に連結される構成上、入水口側架設部が第１管路又は挿入口開閉部材の周方向に回転しにくく、入水口側表示部が前方側を向く姿勢が安定的に維持されやすくなる。しかも、入水口側架設部の帯状の所定部位から板状に折れ曲がるように入水口側表示部を設けることで上記効果を得ることができ、視認性が安定的に確保されやすい構成をより簡易に実現できる。更に、挿入口開閉部材が取り外されたとしても、入水口側表示部材は入水口側架設部によって第１管路に連結された状態で維持されるため、入水口側表示部材を挿入口開閉部材の取り外しに伴って紛失しにくい。
【００１４】
上記第２の態様及び第４の態様によれば、出湯口側表示部が前方側を向くように姿勢が定められるため、作業者が給湯装置を前側から見たときに出湯口側表示部の表示が視認されやすくなる。特に、出湯口側架設部が第２管路と水抜口開閉部材の双方に連結される構成上、出湯口側架設部が第２管路又は水抜口開閉部材の周方向に回転しにくく、出湯口側表示部が前方側を向く姿勢が安定的に維持されやすくなる。しかも、出湯口側架設部の帯状の所定部位から板状に折れ曲がるように出湯口側表示部を設けることで上記効果を得ることができ、視認性が安定的に確保されやすい構成をより簡易に実現できる。更に、水抜口開閉部材が取り外されたとしても、出湯口側表示部は出湯口側架設部によって第１管路に連結された状態で維持されるため、出湯口側表示部材を水抜口開閉部材の取り外しに伴って紛失しにくい。
【図面の簡単な説明】
【００１５】
【図１】図１は、実施例１に係る給湯装置の外観を概略的に示す正面図である。
【図２】図２は、図１の給湯装置の給湯回路を概略的に示す回路図である。
【図３】図３は、実施例１に係る第１識別具及び第２識別具が給湯装置に取り付けられた様子を、筐体を一部省略して示す正面図である。
【図４】図４は、第１露出部及び第１識別具を示す分解斜視図である。
【図５】図５は、第２露出部及び第２識別具を示す分解斜視図である。
【発明を実施するための形態】
【００１６】
＜実施例１＞
以下、発明の一例を示す実施例１について、図面を参照して説明する。図１では、左右方向が給湯装置１の左右方向であり、上下方向が給湯装置１の上下方向であり、手前側が給湯装置１の前方である。具体的には、給湯装置１の上下方向は、給湯装置１の設置時に鉛直上下方向となる方向であり、図１のように正面視したときに筐体３の長手方向となっている。給湯装置１の前後方向は、上下方向と直交する方向のうち、箱状に構成された筐体３の厚さ方向となっている。具体的には、筐体３において排気口３Ｂが形成された側が前側となっている。給湯装置１の左右方向は、上下方向及び前後方向と直交する方向であり、図１のように正面視したときに筐体３の短手方向となっている。図１の例では、第１露出部１００と第２露出部２００が並ぶ方向が左右方向に沿った方向となっている。具体的には、筐体３のうち、設置対象（例えば、建物の壁など）に対向するように取り付けられる壁部が後壁部（背面壁）であり、この後壁部と対向する壁部が前壁部３Ａであり、前壁部３Ａと後壁部とが対向する方向が前後方向である。前壁部３Ａには、左右方向に延びるように排気口３Ｂが形成されている。
【００１７】
給湯装置１は、給湯回路２を構成する各部を収容する筐体３を備え、図１のような外観をなす。筐体３は、略箱型をなし、上方と下方へ突出する取り付け板９をビス等により壁面に固定することで建物の壁面に取り付けられる。給湯回路２は、入水管２１、出湯管２３、ガスバーナ４、熱交換器６などを備え、外部から供給された水道水を加熱し出湯させる経路として機能する（図２参照）。給湯装置１は、給湯回路２の上流側において入水管２１と連通して、筐体３の外部に露出する第１露出部１００と、給湯回路２の下流側において出湯管２３と連通して、筐体３の外部に露出する第２露出部２００と、を更に備える。第１露出部１００と第２露出部２００は、それぞれ筐体３の外面（本実施例１では下面）から突出する形で設けられている。
【００１８】
図２のように、給湯回路２では、入水管２１、伝熱管２２、出湯管２３によって構成される管路が通水路として機能する。入水管２１は、入水口１１１からの水が流れ込む経路として構成される。出湯管２３は、出湯口２１１へ湯を送り出す経路として構成される。ガスバーナ４は、燃焼ガスを燃焼させて熱を発生させる部分である。ガスバーナ４には、ガス管５を通して外部からガスが供給される。熱交換器６は、通水路（入水管２１、伝熱管２２、出湯管２３によって構成される管路）を通る水にガスバーナ４で生じた熱を伝達して湯を沸かす部分である。熱交換器６は、通水路の途中の伝熱管２２の位置に設けられている。伝熱管２２の上流側には、水道水を供給する構成で入水管２１が接続され、伝熱管２２の下流側には、加熱された湯を出湯する構成で出湯管２３が接続されている。
【００１９】
図２のように、給湯装置１には、入水管２１と出湯管２３との間をバイパスする通水経路としてバイパス管２４が設けられ、バイパス管２４にはバイパス弁２５が設けられている。入水管２１において、バイパス管２４が分岐する位置よりも上流側には、図示しない通水量制御弁が設けられ、通水量制御弁によって入水管２１を閉塞状態と全開状態との間で様々な開度に連続的に変更できる構成となっている。
【００２０】
図１のように、給湯装置１の第１露出部１００には、水を示す記号又は図形の少なくともいずれかを表す第１識別具１３０（入水口側表示部材、給湯装置用の識別具）が取り付けられている。また、給湯装置１の第２露出部２００には、湯を示す記号又は図形の少なくともいずれかを表す第２識別具２３０（出湯口側表示部材、給湯装置用の識別具）が取り付けられている。
【００２１】
図３のように、第１露出部１００は、外部から供給される水の入口となる入水口１１１と、入水口１１１とは異なる入口となる挿入口１１５と、を備えた第１管路１１０を有する。この挿入口１１５は、後述するフィルタ１２５を着脱するための開口とされるとともに、通水路内の水を抜くための開口としても用いられる。
【００２２】
第１管路１１０は、挿入口１１５が入水口１１１よりも左右方向片側（本実施例１では略右側）に張り出した構成をなす。具体的には、図４のように、第１管路１１０は、上下方向に沿って延びる入水口側筒部１１２と、左右方向に沿って延びる挿入口側筒部１１６と、を有し、Ｌ字状に屈曲する通水路が構成されている。入水口側筒部１１２は、下部に入水口１１１を有し、入水口１１１には例えば水道からの水を供給するための管路として構成される第１外部管路１９０が接続される。入水口１１１の外周面には、第１外部管路１９０を接続するためのおねじ部１１３が設けられている。挿入口側筒部１１６は、入水口側筒部１１２と連通する側とは反対側の端部に挿入口１１５を有する。挿入口側筒部１１６は、入水管２１と連通する連通口１１７を有し、入水口１１１から流入した水を連通口１１７から入水管２１側に導くように構成されている。
【００２３】
第１露出部１００は、第１管路１１０内において入水口１１１から流入した水をろ過するフィルタ１２５と、挿入口１１５に対して着脱される構成をなし、挿入口１１５を開閉する挿入口開閉部材１２０と、を有する。フィルタ１２５は、挿入口１１５を介して第１管路１１０内に着脱される構成をなす。具体的には、フィルタ１２５は、円筒状の外形をなし、その一端部が挿入口開閉部材１２０に対して固定され、挿入口開閉部材１２０の着脱に伴って第１管路１１０内に着脱される構成となっている。フィルタ１２５は、第１管路１１０に装着された状態では、連通口１１７の手前に位置して、入水口１１１から流入した水が入水管２１側に移動することを許容し、水に混入した異物が入水管２１側に移動することを防止するように機能する。挿入口開閉部材１２０は、つまみ部１２１と、つまみ部１２１より径方向内側に凹んだ形をなす溝部１２３とを具備している。溝部１２３は、後述する連結部１３４が嵌る部位である。挿入口開閉部材１２０は、溝部１２３に連結部１３４が嵌った状態で回転が許容され、挿入口１１５へのねじ止めができるようになっている。
【００２４】
図３のように、第１識別具１３０は、第１管路１１０と挿入口開閉部材１２０との間に架設される第１架設部１３１（入水口側架設部）と、第１架設部１３１と一体的に形成され、水を示す記号又は図形の少なくともいずれかが表された第１表示部１３７（入水口側表示部）と、を有して構成されている。第１識別具１３０は、例えば、可撓性を有する樹脂材料によって構成されている。第１識別具１３０は、第１露出部１００に取り付けられる前の状態では、第１架設部１３１が細長い平板状をなし、第１表示部１３７が第１架設部１３１の長手方向における中央部から折れ曲がる形状をなして成形されている。
【００２５】
第１架設部１３１は、帯状に構成され、第１管路１１０と挿入口開閉部材１２０とにそれぞれ連結されている。具体的には、図４のように、第１架設部１３１は、長手方向の一端に第１管路１１０に連結される連結部１３２を有し、他端に挿入口開閉部材１２０に連結される連結部１３４を有する。連結部１３２は、第１管路１１０より一回り大きい貫通孔１３３を有する環状をなし、貫通孔１３３の一部が長手方向内側にスリット状に延びる構成となっている。連結部１３２は、弾性変形を伴っておねじ部１１３を通過させ、おねじ部１１３の上部付近に連結される構成となっている。連結部１３４は、挿入口開閉部材１２０の溝部１２３より一回り大きい貫通孔１３５を有する環状をなし、貫通孔１３５の一部が長手方向内側にスリット状に延びる構成となっている。連結部１３４は、弾性変形を伴ってつまみ部１２１を通過させ、溝部１２３に連結される構成となっている。
【００２６】
図３及び図４のように、第１架設部１３１は、連結部１３２，１３４が第１管路１１０と挿入口開閉部材１２０にそれぞれ連結された状態で、略Ｕ字状に撓んだ姿勢で架設される。第１架設部１３１には、第１管路１１０と挿入口開閉部材１２０に連結された状態で、挿入口開閉部材１２０による挿入口１１５の開閉を許容できる程度の余長が確保されており、挿入口開閉部材１２０が挿入口１１５に装着される際に余長分が撓む。第１架設部１３１は、連結部１３２，１３４を上方にして、長手方向における中央部を下方にした姿勢が正規の姿勢とされる。第１架設部１３１は、正規の姿勢において、第１表示部１３７が連なる部位が、表裏の面を上下に向けた姿勢となる。また、本実施例１では、第１架設部１３１が略Ｕ字状に撓んだ状態では、両端部が開く方向に弾性力を生じる。このため、第１架設部１３１が第１管路１１０（入水口側筒部１１２）及び挿入口開閉部材１２０の周方向に回転しにくく、正規の姿勢に保たれやすくなっている。
【００２７】
第１表示部１３７は、平面視方形の板状をなし、厚さ方向に貫通するように形成された複数の孔部１３８により水を示す記号（具体的には、「水」の漢字）が記されている。具体的には、「水」の漢字において第２画の部分を表す部分と、第１画、第３画、第４画の部分を表す部分とが別々の孔部としてそれぞれ形成されている。本実施例１では、第１表示部１３７の表面部は第１の色（例えば、青色などの寒色系の色）で表され、その色味によっても第１露出部１００を識別しやすくなっている。
【００２８】
図３のように、第１表示部１３７は、第１架設部１３１における帯状の所定部位から板状に折れ曲がった構成をなし、前方側を向くように姿勢が定められる。第１識別具１３０においては、第１架設部１３１における帯状の所定部位は第１架設部１３１の中央部とされる。この所定部位は、第１識別具１３０が取り付けられる第１露出部１００の形状や姿勢等に応じて適宜定められる。また、第１表示部１３７が前方側を向くような姿勢とは、第１表示部１３７が給湯装置１の前後方向と直交する姿勢に限られず、給湯装置１の前方から第１表示部１３７の記号等を視認可能な程度に第１表示部１３７が前後方向に対して傾いた姿勢も含むものとする。本実施例１では、第１表示部１３７は、第１架設部１３１の中央部の前端から下方に延出して、自身の板面が前方側を向くように姿勢が定められる。
【００２９】
図３のように、第２露出部２００は、熱交換器６によって沸かされた湯の出口となる出湯口２１１と、出湯口２１１とは異なる出口となる水抜口２１５と、を備えた第２管路２１０を有する。
【００３０】
第２管路２１０は、水抜口２１５が出湯口２１１よりも左右方向片側（本実施例１では略右側）に張り出した構成をなす。具体的には、図５のように、第２管路２１０は、上下方向に沿って延びる出湯口側筒部２１２と、出湯口側筒部２１２から分岐する形で右斜め下側に延びる水抜口側筒部２１６と、を有する。出湯口側筒部２１２は、上部に出湯管２３と連通する連通口２１７を有し、下部に出湯口２１１を有する。出湯口２１１には、例えば建物内において湯を供給するための管路として構成される第２外部管路２９０が接続される。出湯口２１１の外周面には、第２外部管路２９０を接続するためのおねじ部２１３が設けられている。出湯口側筒部２１２は、連通口２１７から流入した湯を出湯口２１１から第２外部管路２９０に導く構成をなす。水抜口側筒部２１６は、出湯口側筒部２１２と連通する側とは反対側の端部に水抜口２１５を有する。
【００３１】
第２露出部２００は、水抜口２１５に対して着脱される構成をなし、水抜口２１５を開閉する水抜口開閉部材２２０を有している。水抜口開閉部材２２０は、つまみ部２２１と、つまみ部２２１より径方向内側に凹んだ形をなす溝部２２３とを具備している。溝部２２３は、後述する連結部２３４が嵌る部位である。水抜口開閉部材２２０は、溝部２２３に連結部２３４が嵌った状態で回転が許容されている。
【００３２】
図３のように、第２識別具２３０は、第２管路２１０と水抜口開閉部材２２０との間に架設される第２架設部２３１（出湯口側架設部）と、第２架設部２３１と一体的に形成され、湯を示す記号又は図形の少なくともいずれかが表された第２表示部２３７（出湯口側表示部）と、を有して構成されている。第２識別具２３０は、例えば、可撓性を有する樹脂材料によって構成されている。第２識別具２３０は、第２露出部２００に取り付けられる前の状態では、第２架設部２３１が細長い平板状をなし、第２表示部２３７が第２架設部２３１の長手方向における連結部２３４寄りの部位（水抜口開閉部材２２０に連結される部分寄りの部位）から折れ曲がる形状をなして成形されている。
【００３３】
第２架設部２３１は、帯状に構成され、第２管路２１０と水抜口開閉部材２２０とにそれぞれ連結されている。具体的には、図５のように、第２架設部２３１は、長手方向の一端に第２管路２１０に連結される連結部２３２を有し、他端に水抜口開閉部材２２０に連結される連結部２３４を有する。連結部２３２は、第２管路２１０より一回り大きい貫通孔２３３を有する環状をなし、貫通孔２３３の一部が長手方向内側にスリット状に延びる構成となっている。連結部２３２は、弾性変形を伴っておねじ部２１３を通過させ、おねじ部２１３の上部付近に連結される構成となっている。連結部２３４は、水抜口開閉部材２２０の溝部２２３より一回り大きい貫通孔２３５を有する環状をなし、貫通孔２３５の一部が長手方向内側にスリット状に延びる構成となっている。連結部２３４は、弾性変形を伴ってつまみ部２２１を通過させ、溝部２２３に連結される構成となっている。
【００３４】
図３及び図５のように、第２架設部２３１は、連結部２３２，２３４が第２管路２１０と水抜口開閉部材２２０にそれぞれ連結された状態で、略Ｕ字状に撓んだ姿勢で架設される。第２架設部２３１には、第２管路２１０と水抜口開閉部材２２０に連結された状態で、水抜口開閉部材２２０による水抜口２１５の開閉を許容できる程度の余長が確保されており、水抜口開閉部材２２０が水抜口２１５に装着される際に余長分が撓むこととなる。第２架設部２３１は、連結部２３２，２３４を上方にして、連結部２３２寄りの部位と連結部２３４寄りの部位とが互いに対向してそれぞれ上下方向に延びる姿勢が正規の姿勢とされる。第２架設部２３１は、正規の姿勢において、第２表示部２３７が連なる部位が、表裏の面を左右に向けた姿勢となる。また、本実施例１では、第２架設部２３１が略Ｕ字状に撓んだ状態では、両端部が開く方向に弾性力を生じる。このため、第２架設部２３１が第２管路２１０（出湯口側筒部２１２）及び水抜口開閉部材２２０の周方向に回転しにくく、正規の姿勢に保たれやすくなっている。
【００３５】
第２表示部２３７は、平面視方形の板状をなし、厚さ方向に貫通するように形成された複数の孔部２３８により湯を示す記号（具体的には、「ゆ」の平仮名）が記されている。具体的には、「ゆ」の平仮名が３つの部分に分けられており、それぞれが孔部として形成されている。本実施例１では、第２表示部２３７の表面部は第２の色（例えば、橙色などの暖色系の色）で表され、その色味によっても第２露出部２００を識別しやすくなっている。
【００３６】
図３のように、第２表示部２３７は、第２架設部２３１における帯状の所定部位から板状に折れ曲がった構成をなし、前方側を向くように姿勢が定められる。第２識別具２３０においては、第２架設部２３１における帯状の所定部位は第２架設部２３１の連結部２３４寄りの部位とされる。この所定部位は、第２識別具２３０が取り付けられる第２露出部２００の形状や姿勢等に応じて適宜定められる。なお、第２表示部２３７が前方側を向くような姿勢とは、第２表示部２３７が給湯装置１の前後方向と直交する姿勢に限られず、給湯装置１の前方から第２表示部２３７の記号等を視認可能な程度に第２表示部２３７が前後方向に対して傾いた姿勢も含むものとする。本実施例１では、第２表示部２３７は、第２架設部２３１の連結部２３４寄りの部位の前端から右方に延出して、自身の板面が前方側を向くように姿勢が定められる。
【００３７】
次に、本構成の効果を例示する。
本構成によれば、第１表示部１３７が第１架設部１３１における帯状の所定部位から板状に折れ曲がった構成をなし、前方側を向くように姿勢が定められるから、第１表示部１３７の視認性を確保して、第１管路１１０と第２管路２１０とを確実に識別することができる。また、第１架設部１３１が第１管路１１０と挿入口開閉部材１２０の双方に連結される構成上、第１架設部１３１が第１管路１１０又は挿入口開閉部材１２０の周方向に回転しにくく、第１表示部１３７が前方側を向く姿勢を好適に保持することができる。さらに、この構成によれば、挿入口開閉部材１２０を取り外した場合であっても、第１架設部１３１が第１管路１１０に連結されるため、第１識別具１３０を挿入口開閉部材１２０の取り外しに伴って紛失しにくい。
【００３８】
また、本構成によれば、第２表示部２３７が第２架設部２３１における帯状の所定部位から板状に折れ曲がった構成をなし、前方側を向くように姿勢が定められるから、第２表示部２３７の視認性を確保して、第１管路１１０と第２管路２１０とを確実に識別することができる。また、第２架設部２３１が第２管路２１０と水抜口開閉部材２２０の双方に連結される構成上、第２架設部２３１が第２管路２１０又は水抜口開閉部材２２０の周方向に回転しにくく、第２表示部２３７が前方側を向く姿勢を好適に保持することができる。さらに、この構成によれば、水抜口開閉部材２２０を取り外した場合であっても、第２架設部２３１が第１管路１１０に連結されるため、第２識別具２３０を水抜口開閉部材２２０の取り外しに伴って紛失しにくい。
【００３９】
例えば、第１外部管路１９０と第２外部管路２９０とが誤って接続されてしまうと、フィルタ１２５が存在しない管路である出湯管２３の出口（出湯口２１１）に第１外部管路１９０が誤接続されることになり、このままの状態で第１外部管路１９０から水が供給されると、水に混入している異物が出湯管２３を介して給湯装置内に侵入してしまう虞がある。しかし、上述した第１識別具１３０及び第２識別具２３０を用いれば、どちらが水に関する管路でどちらが湯に関する管路であるかの確認を関係者が確実に行うことができるため、このような誤接続を防ぐことができ、ひいては、誤接続に起因する異物の侵入をも効果的に防止することができる。
【００４０】
＜他の実施例＞
上述した実施例には、様々な変更を加えてもよく、様々な構成を付加してもよい。以下、他の実施例を簡単に説明する。
【００４１】
上述した実施例では、第１識別具１３０と第２識別具２３０の双方を備える構成を例示したが、第１識別具１３０と第２識別具２３０のいずれか一方のみを備える構成であってもよい。例えば、外部に露出する管路として第１露出部と第２露出部のみを備える場合には、一方の識別具により一方の管路を識別することができれば、他方の管路についても第１外部管路と第２外部管路のいずれを接続するべき管路であるかの確認をすることができる。また、外部に露出する管路として３以上の管路を備える場合であっても、例えば管路自体への刻印が視認しにくい管路に対して第１識別具又は第２識別具を付すことにより、各管路への誤接続が起こりにくくなる。
【００４２】
上述した実施例では、給湯装置が一系統の給湯回路２を備える構成を例示したが、給湯装置は、例えば、浴槽への給湯装置能と浴槽内の水の加熱機能とを備えた風呂・給湯システムとして構成され、給湯側回路と風呂側回路とを備えていてもよい。
【００４３】
上述した実施例以外にも、第１識別具１３０を第１管路１１０と挿入口開閉部材１２０に連結するための構成、その連結位置等は適宜変更可能である。また、第２識別具２３０を第２管路２１０と水抜口開閉部材２２０に連結するための構成、その連結位置等は適宜変更可能である。例えば、第１架設部は、長手方向両端にＣ字状のフック部をそれぞれ具備して構成され、フック部が第１管路と挿入口開閉部材にそれぞれ引っ掛けられる構成等であってもよい。
【００４４】
上述した実施例では、第１架設部１３１が略Ｕ字状に撓んだ姿勢で架設される構成を例示したが、第１架設部の姿勢はこれに限られない。また、第２架設部２３１が略Ｕ字状に撓んだ姿勢で架設される構成を例示したが、第２架設部の姿勢はこれに限られない。
【００４５】
上述した実施例以外にも、第１表示部１３７が第１架設部１３１から折れ曲がる位置、折れ曲がる角度等は、第１露出部１００の形状や姿勢に応じて適宜変更可能である。また、第２表示部２３７が第２架設部２３１から折れ曲がる位置、折れ曲がる角度等は、第２露出部２００の形状や姿勢に応じて適宜変更可能である。
【符号の説明】
【００４６】
１…給湯装置
３…筐体
４…ガスバーナ
６…熱交換器
２１…入水管（通水路）
２２…伝熱管（通水路）
２３…出湯管（通水路）
１００…第１露出部
１１０…第１管路
１１１…入水口
１１５…挿入口
１２０…挿入口開閉部材
１２５…フィルタ
１３０…第１識別具（入水口側表示部材、給湯装置用の識別具）
１３１…第１架設部（入水口側架設部）
１３７…第１表示部（入水口側表示部）
２００…第２露出部
２１０…第２管路
２１１…出湯口
２１５…水抜口
２２０…水抜口開閉部材
２３０…第２識別具（出湯口側表示部材、給湯装置用の識別具）
２３１…第２架設部（出湯口側架設部）
２３７…第２表示部（出湯口側表示部）
【図１】
2020079659.tif 000003
【図２】
2020079659.tif 000004
【図３】
2020079659.tif 000005
【図４】
2020079659.tif 000006
【図５】
2020079659.tif 000007